(57)【特許請求の範囲】
【請求項１】
トンネル断面空間内に筒状に配置されてその外周とトンネル内周面との間に覆工コンクリートの打設空間を形成する型枠を、トンネル長手方向へ複数に分割して型枠片とし、覆工コンクリートの打設が完了した部分の型枠片のうち所定数の型枠片を縮径させて、残る型枠片の断面空間内を通過させて反対位置へ移動させるようにしたテレスコピック式型枠装置において、各型枠片を、底部を構成する略円弧板状のインバート枠部とそれ以外の主枠部に分割し、前記型枠の断面空間を貫通して吊上げ搬送装置を設けて、前記残る型枠片の断面空間内に縮径状態で位置させた前記主枠部の断面空間内に、前記吊上げ搬送装置により吊り上げた略円弧板状のインバート枠部を通過させて反対位置へ向け搬送するようにし、前記型枠の断面空間を貫通し、両端がトンネル内周面に支持されたビーム体を設けて、当該ビーム体に前記各型枠片を位置決め支持させ、かつ前記ビーム体の端部を、トンネル下半空間の覆工コンクリートの打設が完了した部分に位置する型枠片と、トンネル上半空間に位置させた浮力受け架台とでトンネル内周面に位置決め支持させたことを特徴とするテレスコピック式型枠装置。
【請求項２】
前記ビーム体を前記型枠の長手方向へ自走可能とし、縮径させた前記主枠部を前記ビーム体に支持させて当該ビーム体と一体に移動させるようにし、かつ前記ビーム体に前記吊上げ搬送装置を設けた請求項１に記載のテレスコピック式型枠装置。
【発明の詳細な説明】
【技術分野】
【０００１】
本発明はテレスコピック式型枠装置に関し、特にインバート枠部の移動を簡易かつフレキシブルに行えるようにしたテレスコピック式型枠装置に関する。
【背景技術】
【０００２】
トンネル覆工用の型枠装置では、トンネル断面空間内に筒状の型枠を配置し、その外周とトンネル内周面との間に打設空間を形成して、当該打設空間内に覆工コンクリートを注入している。この場合の型枠は、筒状の頂部を構成する天端枠部（フォーム）、側部を構成するサイド枠部、および底部を構成するインバート枠部より構成される場合が多い。
【０００３】
そして例えば特許文献１に示される移動型枠装置では、天端枠部の左右端にそれぞれ左右のサイド枠部を回動可能に連結するとともに、左右のサイド枠部の下端に、インバート枠部を左右に分割した各分割片をそれぞれ回動可能に連結した構造としてある。覆工コンクリートの養生を完了して脱型する場合には、インバート枠部の左右の分割片を上方へ回動させてサイド枠部に沿って折り畳み、その後、左右のサイド枠部を内方へ回動させるとともに天端枠部を下降させて型枠を矩縮状態にすることにより覆工コンクリートの内周面から離脱させる。
【先行技術文献】
【特許文献】
【０００４】
【特許文献１】特開平８−２３２５８７
【発明の概要】
【発明が解決しようとする課題】
【０００５】
しかし、上記従来の構造は、左右のサイド枠部の下端にさらにインバート枠部の分割片を回動可能に連結する構造であるため、型枠の構造が複雑になるとともに、その形状の自由度も制約されるという問題があり、特にこれは、型枠をトンネル長手方向へ複数に分割して型枠片とし覆工コンクリートの打設が完了した部分の型枠片のうち所定数の型枠片を縮径させて、残る型枠片の断面空間内を通過させて反対位置へ移動させる、いわゆるテレスコピック式の型枠装置では大きな問題となる。
【０００６】
そこで、本発明はこのような課題を解決するもので、型枠の構造の簡素化が実現され、かつその形状の自由度も向上したテレスコピック式型枠装置を提供することを目的とする。
【課題を解決するための手段】
【０００７】
上記目的を達成するために、本第１発明では、トンネル（Ｔ）断面空間内に筒状に配置されてその外周とトンネル（Ｔ）内周面との間に覆工コンクリートの打設空間（Ｓ）を形成する型枠（１）を、トンネル（Ｔ）長手方向へ複数に分割して型枠片（１１）とし、覆工コンクリートの打設が完了した部分の型枠片のうち所定数の型枠片（１１Ａ，１１Ｂ）を縮径させて、残る型枠片（１１）の断面空間内を通過させて反対位置へ移動させるようにしたテレスコピック式型枠装置において、各型枠片（１１）を、底部を構成する略円弧板状のインバート枠部（３）とそれ以外の主枠部（２）に分割し、前記型枠（１）の断面空間を貫通して吊上げ搬送装置（７）を設けて、前記残る型枠片（１１）の断面空間内に縮径状態で位置させた前記主枠部（２）の断面空間内に、前記吊上げ搬送装置（７）により吊り上げた略円弧板状のインバート枠部（３）を通過させて反対位置へ向け搬送するようにし、前記型枠（１１）の断面空間を貫通し、両端がトンネル内周面に支持されたビーム体（５）を設けて、当該ビーム体（５）に前記各型枠片（１１）を位置決め支持させ、かつ前記ビーム体（５）の端部を、トンネル下半空間（Ｔ２）の覆工コンクリートの打設が完了した部分に位置する型枠片（１１Ａ，１１Ｂ）と、トンネル上半空間（Ｔ１）に位置させた浮力受け架台（６）とでトンネル（Ｔ）内周面に位置決め支持させる。
【０００８】
本第１発明によれば、略円弧板状のインバート枠部を主枠部と分離し、折り畳むことなくそのままの形状で吊り上げて搬送できるので、型枠構造の簡素化が実現できるとともに、主枠部内へインバート枠部を折り畳む必要が無いから、型枠形状の自由度も向上する。また、ビーム体によって覆工コンクリート打設時の各型枠片を位置決め支持するようにしたから、各型枠片をトンネル内周に直接支持させるための支持部材の設置数を低減でき、その設置の手間が軽減される。さらに、上下空間に区画されたトンネル内で、覆工コンクリート打設時にビーム体の端部を確実にトンネル内周面に支持させることができる。
【００１３】
本第２発明では、前記ビーム体（５）を前記型枠（１）の長手方向へ自走可能とし、縮径させた前記主枠部（２）を前記ビーム体（５）に支持させて当該ビーム体（５）と一体に移動させるようにし、かつ前記ビーム体（５）に前記吊上げ搬送装置（７）を設ける。
【００１４】
本第２発明によれば、コンクリート打設時に型枠片を位置決め支持するビーム体を利用して、主枠部の移動を行い、またビーム体に吊上げ搬送装置を容易に設置することができる。
【００１５】
上記カッコ内の符号は、後述する実施形態に記載の具体的手段との対応関係を示すものである。
【発明の効果】
【００１６】
以上のように、本発明のテレスコピック式型枠装置によれば、型枠の構造の簡素化が実現されるとともに、その形状の自由度も向上する。
【図面の簡単な説明】
【００１７】
【図１】テレスコピック式型枠装置が設置されたトンネルの縦断面図である。
【図２】図１におけるII−II線に沿った断面図である。
【図３】図１におけるIII−III線に沿った断面図である。
【図４】テレスコピック式型枠装置の型枠片移動行程を示すトンネルの縦断面図である。
【図５】テレスコピック式型枠装置の型枠片移動行程を示すトンネルの縦断面図である。
【図６】テレスコピック式型枠装置の型枠片移動行程を示すトンネルの縦断面図である。
【発明を実施するための形態】
【００１８】
なお、以下に説明する実施形態はあくまで一例であり、本発明の要旨を逸脱しない範囲で当業者が行う種々の設計的改良も本発明の範囲に含まれる。
【００１９】
図１にはトンネルＴ内に設置されたテレスコピック式型枠装置Ｈの全体側面を示し、図２には図１におけるII−II線に沿った断面を、図３には図１におけるIII−III線に沿った断面を示す。各図において、トンネルＴの内部空間は上半Ｔ１と下半Ｔ２に区画されており、テレスコピック式型枠装置（以下、単に型枠装置という）ＨはトンネルＴの下半空間Ｔ２内に位置している。型枠装置Ｈの型枠１はトンネル長手方向へ複数（本実施形態では８個）の一定長の型枠片１１に分割されている。各型枠片１１はトンネルＴの下半空間Ｔ２の断面形状に沿って下方へ向く略半円形の筒状となっており（図２）、上半の主枠部２と底部のインバート枠部３とで構成されている。
【００２０】
主枠部２は、上端でトンネルＴの幅方向へ水平に延びる天端枠部２１と、その左右端に回動可能にそれぞれ上端が連結されて外方へ膨出湾曲しつつ下方へ延びる左右のサイド枠部２２とで構成されている。インバート枠部３はトンネルＴの底部と平行な円弧周面を有する略円弧板状となっており、その左右端面３１ａ，３１ｂは傾斜面に形成されて、それぞれ左右のサイド枠部２２の下端面に当接し合致している。インバート枠部３は左右方向の４箇所で支持シャフト４１によってトンネルＴの底面から一定間隔上方へ浮かして支持されている。また、サイド枠部２２も支持シャフト４２によってトンネルＴの側面から一定間隔内方へ離間させて支持されている。
【００２１】
図１において、型枠１の断面空間を貫通してトンネルＴの長手方向へ延びるビーム体５が設けてある。ビーム体５は長手方向中間部の前後位置に設けられた脚部５１下端の車輪５１１がモータ５１２で駆動されて、インバート枠部３のレール３２（図２）上を型枠１の長手方向へ自走可能である。ビーム体５には型枠１の開口から露出したその端部の上下位置にそれぞれ上下方向へ延びるサポート部材５２，５３が設けられて、これらサポート部材５２，５３がトンネルＴの上下面に当接してビーム体５の一端が位置決め支持されている。
【００２２】
ビーム体５上にはジャッキ４３（図２）を介して天端枠部２１が支持されているとともに、ビーム体５とサイド枠部２２およびインバート枠部３との間には適宜位置に複数の棒ジャッキ４４が架設されてビーム体５および型枠１を位置決めしている。特にビーム体５の他端は、覆工コンクリートの打設が完了した部分に位置する型枠片１１Ａ，１１Ｂに棒ジャッキ４４を介して支持されている。この状態で、天端枠部２１の上方や、サイド枠部２２およびインバート枠部３とトンネルＴ内周面との間に形成された打設空間Ｓ内に二次覆工コンクリートが注入される（注入されたコンクリートの水平上面を図２の太破線で示す）。
【００２３】
なお、図２中の符号ＦはトンネルＴ空間内に設置された鉄筋を簡略化して示したものである。また、トンネルＴの上半空間Ｔ１内には、車輪６１（図１）を下降させて自走可能な浮力受け架台６が配置されていて、ジャッキ６２を上方へ延ばしてトンネルＴ内周面に当接させることによって下方からの浮力を受けるようになっている。
【００２４】
ビーム体５の下半には吊上げ搬送装置７が設けられており、当該搬送装置７は、ビーム体５の長手方向のほぼ全長に亘って配設されたＩ型鋼のレール体７１（図２、図３）と、これに沿って走行自在に配設され、互いに連結された前後一対のチェーンブロック７３（図１）を備えるホイスト７２とで構成されている。
【００２５】
覆工コンクリートを注入しその養生を終えた後は型枠片１１の脱型を行う。このためには、支持シャフト５２，５３やジャッキ４４等を取り去り、図４（１）に示すように、ビーム体５を当該図の左方の枠体１内へ進入移動させて、脱型を行う型枠片１１（本実施形態では隣接する一対の型枠片１１Ａ，１１Ｂ）が前後の脚部５１間に位置するようにする。なお、図中の符号８１は、インバート枠部３のレールに接続されるレールを備えた台車である。また、以下の各図におけるＸは既設のコンクリート、Ｙは新設のコンクリートである。
【００２６】
続いて、図略のシリンダによって、脱型を行う型枠片１１Ａ，１１Ｂのサイド枠部２２を図２の鎖線で示すように内方へ回動させるとともに、ジャッキ４３を取り去って天端枠部２１を下降させ、主枠部２を縮径状態にする。これにより、主枠部２がビーム体５に支持された状態で覆工コンクリートの内周面から離脱させられる。縮径状態の主枠部２は、縮径していない残る型枠片１１の断面空間内に納まる大きさとなるから、図４（２）に示すように、両型枠片１１Ａ，１１Ｂの縮径した主枠部２を支持した状態のビーム体５を、枠体１の外方へ向けて移動させて、ビーム体５に設けた吊上げ搬送装置７の前後一対のチェーンブロック７３を上記型枠片１１Ａ，１１Ｂのインバート枠部３の上方に位置させる。この際、型枠片１１Ａ，１１Ｂの主枠部２は、縮径していない残る型枠片１１の断面空間内へ移動する。
【００２７】
この後、吊上げ治具７４（図２）を装着し互いに連結されたインバート枠部３を、前後のチェーンブロック７３で吊り上げ（図５（１）の鎖線）、吊り上げたインバート枠部３をビーム体５に沿って外方へ搬送して、縮径した主枠部２の断面空間内を通過させて（図２の鎖線、図５（１）の実線）、図５（２）に示すように枠体１外へ取り出す。そしてこれらインバート枠部３を、図６（１）に示すように、最外端の型枠片１１のインバート枠部３に隣接させて設置させる。なお、図５、図６において、トンネルＴの底部に設置された状態とチェーンブロック７３で吊り上げられた状態とでインバート枠部３の形状が異なっているが、これはインバート枠部３の異なる断面を示したことによるもので、実際は同じものである。
【００２８】
インバート枠部３を設置した後は、図６（２）に示すように、ビーム体５をさらに外方へ移動させて、枠体１内に位置させていた型枠片１１Ａ，１１Ｂの主枠部２を枠体１外へ露出させ、これら主枠部２を原形に拡径させてインバート枠部３と再び連結する。以上の行程を繰り返すことによって、型枠１を構成する型枠片１１を順次移動させることができる。なお、図６（２）中の符号８２は、インバート枠部３のレールに接続されるレールを備えた台車である。
【００２９】
なお、上記実施形態ではビーム体を設けたテレスコピック式型枠装置について説明したが、ビーム体を設けない構造のテレスコピック式型枠装置にも本発明は適用可能である。また、上記実施形態では上半と下半に区画されたトンネルにおけるテレスコピック式型枠装置の使用について説明したが、トンネル構造は特に限定されるものではない。
【符号の説明】
【００３０】
１…型枠、１１，１１Ａ，１１Ｂ…型枠片、２…主枠部、３…インバート枠部、５…ビーム体、６…浮力受け架台、７…吊上げ搬送装置、Ｓ…コンクリート打設空間、Ｔ…トンネル、Ｔ１…トンネル上半空間、Ｔ２…トンネル下半空間。
【図１】
0006022207.tif 000002
【図２】
0006022207.tif 000003
【図３】
0006022207.tif 000004
【図４】
0006022207.tif 000005
【図５】
0006022207.tif 000006
【図６】
0006022207.tif 000007